(57)【要約】【課題】落下等の衝撃を受けた際のインキ漏出事故を十分に防止できる筆記具用インキカートリッジ収納箱を提供する。【解決手段】凸曲面状外面３ａを有するよう折り曲げ形成された正面板３と、面板３の左右方向の両側縁部に接続される凸曲面状外面４ａを有するよう折り曲げ形成された背面板４と、正面板３及び背面板４の上端縁部に接続される凹曲面状外面５ａを有するよう折り曲げ形成された上面板５と、正面板３及び背面板４の下端縁部に接続される凹曲面状外面６ａを有するよう折り曲げ形成された下面板６とからなる。インキカートリッジ７が、一端が閉鎖され且つ他端が開口可能に構成される。内部に収納するインキカートリッジ７の開口側端部を下向き状態にしたとき、インキカートリッジ７の開口側端部が少なくとも上面板５及び下面板６のいずれか一方に支持される。【選択図】  図９
2014040252.tif 000002
【特許請求の範囲】
【請求項１】
複数本のインキカートリッジを内部に収納する筆記具用カートリッジ収納箱であって、凸曲面状外面を有するよう折り曲げ形成された正面板と、該正面板の左右方向の両側縁部に接続される凸曲面状外面を有するよう折り曲げ形成された背面板と、前記正面板及び前記背面板の上端縁部に接続される凹曲面状外面を有するよう折り曲げ形成された上面板と、前記正面板及び前記背面板の下端縁部に接続される凹曲面状外面を有するよう折り曲げ形成された下面板とからなり、前記インキカートリッジが、一端が閉鎖され且つ他端が開口可能に構成され、内部に収納する前記インキカートリッジの開口側端部を下向き状態にしたとき、前記インキカートリッジの開口側端部が少なくとも前記上面板及び前記下面板のいずれか一方に支持されることを特徴とする筆記具用インキカートリッジ収納箱。
【請求項２】
前記上面板が、下方に膨らむ円弧状の第１の折り曲げ線を介して正面板の上端縁部と接続されるとともに、上方に膨らむ円弧状の第２の折り曲げ線を備え、前記上面板が、前記第１の折り曲げ線及び前記第２の折り曲げ線を介して内側に折り曲げられ、前記上面板の第１の折り曲げ線及び第２の折り曲げ線に囲まれる部分に凹曲面状外面が形成され且つ前記上面板の凹曲面状外面に前記第２の折り曲げ線を介して折り込み片が接続され、
前記下面板が、上方に膨らむ円弧状の第３の折り曲げ線を介して正面板の下端縁部と接続されるとともに、下方に膨らむ円弧状の第４の折り曲げ線を備え、前記下面板が、前記第３の折り曲げ線及び前記第４の折り曲げ線を介して内側に折り曲げられ、前記下面板の第３の折り曲げ線及び第４の折り曲げ線に囲まれる部分に凹曲面状外面が形成され且つ前記下面板の凹曲面状外面に前記第４の折り曲げ線を介して折り込み片が接続される請求項１記載の筆記具用インキカートリッジ収納箱。
【請求項３】
前記背面板が、前記正面板の左右方向の一端縁部に直線状の第５の折り曲げ線を介して接続される第１背面板と、前記正面板の左右方向の他端縁部に直線状の第６の折り曲げ線を介して接続される第２背面板とを備え、前記第１背面板が係合突片を備え、前記第２背面板が、前記係合突片が差し込み可能な係合スリットを備え、前記第１背面板と第２背面板とを重ね合わせ可能に構成した請求項１または２記載の筆記具用インキカートリッジ収納箱。
【発明の詳細な説明】
【技術分野】
【０００１】
本発明は、筆記具用インキカートリッジ収納箱に関する。
【背景技術】
【０００２】
従来、万年筆等の筆記具用インキカートリッジは、図１２に示すように、複数本を直方体形状の箱に収納された状態で、輸送・販売されている。（例えば特許文献１）
【先行技術文献】
【特許文献】
【０００３】
【特許文献１】特開２００８−２８５２２０号公報
【発明の概要】
【発明が解決しようとする課題】
【０００４】
前記従来の筆記具用インキカートリッジ収納箱は、落下等の衝撃を受けると、内部に収容するインキカートリッジが開栓し、インキカートリッジ内のインキが外部に漏出するおそれがある。
【０００５】
また、従来の筆記具用インキカートリッジ収納箱は、ブランク板から組み立てる際、複雑な組立工程（具体的には、８回の折り曲げ工程と、２回の差し込み工程と、糊付け工程）必要であるため、製造コストの上昇を余儀なくされる。
【０００６】
本発明は、前記従来の問題点を解決するものであって、落下等の衝撃を受けた際のインキ漏出事故を十分に防止できる筆記具用インキカートリッジ収納箱を提供しようとするものである。また、本発明は、落下等の衝撃を受けた際のインキ漏出事故を十分に防止でき、且つ、簡易な組立により製造コストを安価に抑えることができる筆記具用インキカートリッジ収納箱を提供しようとするものである。
【課題を解決するための手段】
【０００７】
本願の第１の発明は、複数本のインキカートリッジ７を内部に収納する筆記具用カートリッジ収納箱であって、凸曲面状外面３ａを有するよう折り曲げ形成された正面板３と、該正面板３の左右方向の両側縁部に接続される凸曲面状外面４ａを有するよう折り曲げ形成された背面板４と、前記正面板３及び前記背面板４の上端縁部に接続される凹曲面状外面５ａを有するよう折り曲げ形成された上面板５と、前記正面板３及び前記背面板４の下端縁部に接続される凹曲面状外面６ａを有するよう折り曲げ形成された下面板６とからなり、前記インキカートリッジ７が、一端が閉鎖され且つ他端が開口可能に構成され、内部に収納する前記インキカートリッジ７の開口側端部を下向き状態にしたとき、前記インキカートリッジ７の開口側端部が少なくとも前記上面板５及び前記下面板６のいずれか一方に支持されることを要件とする。
【０００８】
前記第１の発明の筆記具用インキカートリッジ収納箱１は、インキカートリッジ７の開口側端部の下向き状態で落下等の衝撃を受けた際、インキカートリッジ７の開口側端部に衝撃が直接伝わりにくいため、インキカートリッジ７が容易には開栓せず、インキ漏出事故を十分に防止できる。
【０００９】
本願の第２の発明は、前記第１の発明の筆記具用インキカートリッジ収納箱１において、前記上面板５が、下方に膨らむ円弧状の第１の折り曲げ線２１を介して正面板３の上端縁部と接続されるとともに、上方に膨らむ円弧状の第２の折り曲げ線２２を備え、前記上面板５が、前記第１の折り曲げ線２１及び前記第２の折り曲げ線２２を介して内側に折り曲げられ、前記上面板５の第１の折り曲げ線２１及び第２の折り曲げ線２２に囲まれる部分に凹曲面状外面５ａが形成され且つ前記上面板５の凹曲面状外面５ａに前記第２の折り曲げ線２２を介して折り込み片５ｂが接続され、前記下面板６が、上方に膨らむ円弧状の第３の折り曲げ線２３を介して正面板３の下端縁部と接続されるとともに、下方に膨らむ円弧状の第４の折り曲げ線２４を備え、前記下面板６が、前記第３の折り曲げ線２３及び前記第４の折り曲げ線２４を介して内側に折り曲げられ、前記下面板６の第３の折り曲げ線２３及び第４の折り曲げ線２４に囲まれる部分に凹曲面状外面６ａが形成され且つ前記下面板６の凹曲面状外面６ａに前記第４の折り曲げ線２４を介して折り込み片６ｂが接続されることを要件とする。
【００１０】
前記第２の発明の筆記具用インキカートリッジ収納箱１は、上面板５及び下面板６のそれぞれに凹曲面状外面５ａ・６ａを確実に形成でき、落下等の衝撃の際のインキ漏出事故を十分に防止できる。
【００１１】
本願の第３の発明は、前記第１または第２の発明の筆記具用インキカートリッジ収納箱１において、前記背面板４が、前記正面板３の左右方向の一端縁部に直線状の第５の折り曲げ線２５を介して接続される第１の背面板４１と、前記正面板３の左右方向の他端縁部に直線状の第６の折り曲げ線２６を介して接続される第２の背面板４２とを備え、前記第１の背面板４１が係合突片４１ａを備え、前記第２の背面板４２が、前記係合突片４１ａが差し込み可能な係合スリット４２ａを備え、前記第１の背面板４１と第２の背面板４２とを重ね合わせ可能に構成したことを要件とする。
【００１２】
前記第３の発明の筆記具用インキカートリッジ収納箱１は、折り曲げ工程及び差し込み工程を減少させるととともに糊付け工程を不要にでき、組立工程全体を簡易にし、製造コストを安価に抑えることができる。
【発明の効果】
【００１３】
本発明の筆記具用インキカートリッジ収納箱によれば、落下等の衝撃を受けた際のインキ漏出事故を十分に防止できる。
【図面の簡単な説明】
【００１４】
【図１】本発明の実施の形態のブランク板を表面から見た図である。
【図２】図１のブランク板を裏面から見た図である。
【図３】図２の状態から上面板及び下面板を折り曲げた状態の図である。
【図４】図３の状態から内部にインキカートリッジを収納した図である。
【図５】図４の状態から第２の背面板を折り曲げた状態の図である。
【図６】図５の状態から第１の背面板を折り曲げ、組立完了状態の背面図である。
【図７】図６の側面図である。
【図８】図６の組立完了状態の正面図である。
【図９】図６の組立完了状態の斜視図である。
【図１０】図７のＡ−Ａ線断面図である。
【図１１】図７のＢ−Ｂ線断面図である。
【図１２】従来の筆記具用インキカートリッジ収納箱の斜視図である。
【発明を実施するための形態】
【００１５】
本実施の形態を図面（図１乃至図１１）に従って説明する。
【００１６】
（ブランク板）
図１及び図２に、組立前のブランク板２を示す。
前記ブランク板２は、紙製またはプラスチック製の板であり、その表面には、商品名やバーコード等の印刷が施される。
【００１７】
前記ブランク板２は、主に、正面板３と、背面板４（第１の背面板４１及び第２の背面板４２）と、上面板５と、下面板６とからなる。
【００１８】
前記正面板３は、折り曲げ前のブランク板２の状態で、左右方向の一方の直線状の第５の折り曲げ線２５を介して第１の背面板４１と接続され、且つ、左右方向の他方の直線状の第６の折り曲げ線２６を介して第２の背面板４２と接続される。また、前記正面板３は、折り曲げ前のブランク板２の状態で、下方に膨らむ円弧状の第１の折り曲げ線２１を介して上面板５と接続され、且つ、上方に膨らむ円弧状の第３の折り曲げ線２３を介して下面板６と接続される。前記正面板３は、左右に平行して設けられる第５の折り曲げ線２５及び第６の折り曲げ線２６と、上下の第１の折り曲げ線２１及び第３の折り曲げ線２３とによって囲まれる。前記正面板３は、中央に窓孔３１が形成される。
【００１９】
前記背面板４は、第１の背面板４１と第２の背面板４２とからなる。前記第１の背面板４１の上端縁部は、下方に膨らむ円弧状を有する。前記第１の背面板４１の下端縁部は、上方に膨らむ円弧状を有する。前記第１の背面板４１の直線状の第５の折り曲げ線２５と反対側の縁部には、係合突片４１ａが形成される。
【００２０】
前記第２の背面板４２の上端縁部は、下方に膨らむ円弧状を有する。前記第２の背面板４２の下端縁部は、上方に膨らむ円弧状を有する。前記第２の背面板４２の中央には、係合スリット４２ａが形成される。前記係合スリット４２ａは、コ字状またはヨ字状に形成される。
【００２１】
前記上面板５は、下方に膨らむ円弧状の第１の折り曲げ線２１を介して正面板３と接続される。前記上面板５は、折り曲げ前のブランク板２の状態で、上方に膨らむ円弧状の第２の折り曲げ線２２を備え、前記第２の折り曲げ線２２より上方に折り込み片５ｂが形成される。前記上面板５の上端縁部は、折り曲げ前のブランク板２の状態で、上方に膨らむ円弧状を有する。
【００２２】
前記下面板６は、上方に膨らむ円弧状の第３の折り曲げ線２３を介して正面板３と接続される。前記下面板６は、折り曲げ前のブランク板２の状態で、下方に膨らむ円弧状の第４の折り曲げ線２４を備え、前記第４の折り曲げ線２４より下方に折り込み片６ｂが形成される。前記下面板６の下端縁部は、折り曲げ前のブランク板２の状態で、下方に膨らむ円弧状を有する。
【００２３】
（組立工程）
次に、図３に示すように、図１及び図２の状態から、ブランク板２の上面板５及び下面板６を内側（即ち裏面側）に折り曲げる。
【００２４】
前記上面板５は、第１の折り曲げ線２１及び第２の折り曲げ線２２を介して内側に折り曲げられ、第１の折り曲げ線２１及び第２の折り曲げ線２２に囲まれる部分によって凹曲面状外面５ａが上面に形成され、第２の折り曲げ線２２を介して折り込み片５ｂが下方に延設される。前記折り込み片５ｂは、第２の折り曲げ線２２を介して凹曲面状外面５ａに接続されるため、凸曲面状外面を有する。
【００２５】
また、前記下面板６は、第３の折り曲げ線２３及び第４の折り曲げ線２４を介して内側に折り曲げられ、第３の折り曲げ線２３及び第４の折り曲げ線２４に囲まれる部分によって凹曲面状外面６ａが下面に形成され、第４の折り曲げ線２４を介して折り込み片６ｂが上方に延設される。前記折り込み片６ｂは、第４の折り曲げ線２４を介して凹曲面状外面６ａに接続されるため、凸曲面状外面を有する。
【００２６】
次に、図４に示すように、図３の状態から、複数（具体的には３本）のインキカートリッジ７を上面板５と下面板６の間に挿入する。前記インキカートリッジ７は、一端が閉鎖された且つ他端が開口可能に構成されている。具体的には、インキカートリッジ７開口部内面に栓体（例えば板状または球状の栓体）が密嵌されている。
【００２７】
次に、図５に示すように、図４の状態から、第２の背面板４２を第６の折り曲げ線２６を介して内側に折り曲げる。その際、前記第２の背面板４２は、上面板５の折り込み片５ｂの外面及び下面板６の折り込み片６ｂの外面に沿って折り曲げられるため、凸曲面状外面４ａを有する。
【００２８】
次に、図６に示すように、図５の状態から、第１の背面板４１を第５の折り曲げ線２５を介して内側に折り曲げる。その際、前記第１の背面板４１は、上面板５の折り込み片５ｂの外面及び下面板６の折り込み片６ｂの外面に沿って折り曲げられるため、凸曲面状外面４ａを有する。また、その際、前記第１の背面板４１と第２の背面板４２とが互いの縁部で重なり合うとともに、第１の背面板４１の係合突片４１ａが第２の背面板４２の係合スリット４２ａに差し込まれ、係合される。これにより、内部にインキカートリッジ７が収納された筆記具用インキカートリッジ収納箱１の組み立てが完了する。
【００２９】
（組立完了状態）
本実施の形態の筆記具用インキカートリッジ収納箱１の組立完了状態を図６乃至図１１に示す。組立完了状態において、第１の背面板４１の上端縁部は、上面板５の第２の折り曲げ線２２と重なり、第１の背面板４１の下端縁部は、上面板５の第４の折り曲げ線２４と重なる。組立完了状態において、第２の背面板４２の上端縁部は、上面板５の第２の折り曲げ線２２と重なり、第２の背面板４２の下端縁部は、上面板５の第４の折り曲げ線２４と重なる。それにより、美観に優れた外観が得られる。
【００３０】
組立完了状態において、前記インキカートリッジ７の開口側端部を下向き状態にしたとき、前記インキカートリッジ７の開口側端部が少なくとも前記上面板５内面及び前記下面板６内面のいずれか一方に支持される（図７参照）。また、組立完了状態において、前記インキカートリッジ７を水平状態にしたとき（筆記具用インキカートリッジ収納箱を正面板または背面板を下にしたとき）、前記インキカートリッジ７の側面が、前記正面板３または前記背面板４の内面に支持される。また、組立完了状態において、正面板３の窓孔３１から内部に収納するインキカートリッジ７を視認でき、インキカートリッジ７の有無を確認できる。
【００３１】
本実施の形態の筆記具用インキカートリッジ収納箱１は、複数本のインキカートリッジ７を内部に収納する筆記具用カートリッジ収納箱であって、凸曲面状外面３ａを有するよう折り曲げ形成された正面板３と、該正面板３の左右方向の両側縁部に接続される凸曲面状外面４ａを有するよう折り曲げ形成された背面板４と、前記正面板３及び前記背面板４の上端縁部に接続される凹曲面状外面５ａを有するよう折り曲げ形成された上面板５と、前記正面板３及び前記背面板４の下端縁部に接続される凹曲面状外面６ａを有するよう折り曲げ形成された下面板６とからなり、前記インキカートリッジ７が、一端が閉鎖され且つ他端が開口可能に構成され、内部に収納する前記インキカートリッジ７の開口側端部を下向き状態にしたとき、前記インキカートリッジ７の開口側端部が少なくとも前記上面板５及び前記下面板６のいずれか一方に支持されることにより、インキカートリッジ７の開口側端部の下向き状態で落下等の衝撃を受けた際、インキカートリッジ７の開口側端部に衝撃が直接伝わりにくいため、インキカートリッジ７が容易には開栓せず、インキ漏出事故を十分に防止できる。
【００３２】
本実施の形態の筆記具用インキカートリッジ収納箱１は、前記上面板５が、下方に膨らむ円弧状の第１の折り曲げ線２１を介して正面板３の上端縁部と接続されるとともに、上方に膨らむ円弧状の第２の折り曲げ線２２を備え、前記上面板５が、前記第１の折り曲げ線２１及び前記第２の折り曲げ線２２を介して内側に折り曲げられ、前記上面板５の第１の折り曲げ線２１及び第２の折り曲げ線２２に囲まれる部分に凹曲面状外面５ａが形成され且つ前記上面板５の凹曲面状外面５ａに前記第２の折り曲げ線２２を介して折り込み片５ｂが接続され、前記下面板６が、上方に膨らむ円弧状の第３の折り曲げ線２３を介して正面板３の下端縁部と接続されるとともに、下方に膨らむ円弧状の第４の折り曲げ線２４を備え、前記下面板６が、前記第３の折り曲げ線２３及び前記第４の折り曲げ線２４を介して内側に折り曲げられ、前記下面板６の第３の折り曲げ線２３及び第４の折り曲げ線２４に囲まれる部分に凹曲面状外面６ａが形成され且つ前記下面板６の凹曲面状外面６ａに前記第４の折り曲げ線２４を介して折り込み片６ｂが接続されることにより、上面板５及び下面板６のそれぞれに凹曲面状外面５ａ・６ａを確実に形成でき、落下等の衝撃の際のインキ漏出事故を十分に防止できる。
【００３３】
本実施の形態の筆記具用インキカートリッジ収納箱１は、前記背面板４が、前記正面板３の左右方向の一端縁部に直線状の第５の折り曲げ線２５を介して接続される第１の背面板４１と、前記正面板３の左右方向の他端縁部に直線状の第６の折り曲げ線２６を介して接続される第２の背面板４２とを備え、前記第１の背面板４１が係合突片４１ａを備え、前記第２の背面板４２が、前記係合突片４１ａが差し込み可能な係合スリット４２ａを備え、前記第１の背面板４１と第２の背面板４２とを重ね合わせ可能に構成したことにより、組立工程が６回の折り曲げ工程と１回の差し込み工程のみからなるため、従来のものに比べて折り曲げ工程及び差し込み工程を減少させるととともに糊付け工程を不要にでき、組立工程全体を簡易にし、製造コストを安価に抑えることができる。また、本実施の形態の筆記具用インキカートリッジ収納箱１は、前記構成により、背面板を左右に大きく開口でき、従来のものに比べ、インキカートリッジ７の出し入れが容易となる。
【００３４】
（落下衝撃試験）
本発明の筆記具用インキカートリッジ収納箱１と、従来の筆記具用インキカートリッジ収納箱を用い、落下衝撃試験を行った。具体的には、本発明の筆記具用インキカートリッジ収納箱１は、紙製のブランク板２を前記実施の形態（図１乃至図１１）のように折り曲げ、内部に３本のインキカートリッジ７を収納したものであり、前記従来の筆記具用インキカートリッジ収納箱は、図１２に示すように、紙製のブランク板２を折り曲げ及び糊付けして直方体形状に組み立て、内部に５本のインキカートリッジ７を収納したものである。なお、前記インキカートリッジ７は、本発明、従来ともに同じインキカートリッジ７を使用した。
【００３５】
前記本発明の筆記具用インキカートリッジ収納箱１及び従来の筆記具用インキカートリッジ収納箱を、コンクリート製床面に１メートルの高さから、インキカートリッジ７の開口側端部を下向きにして、落下させ、インキ漏出の有無を確認する試験を行った。その結果、本発明の筆記具用インキカートリッジ収納箱１は、５回の落下を繰り返してもインキ漏出が発生しなかったが、従来の筆記具用インキカートリッジ収納箱は、１回の落下でインキ漏出事故が発生した。
【符号の説明】
【００３６】
１  筆記具用カートリッジ収納箱
２  ブランク板
２１  第１の折り曲げ線
２２  第２の折り曲げ線
２３  第３の折り曲げ線
２４  第４の折り曲げ線
２５  第５の折り曲げ線
２６  第６の折り曲げ線
３  正面板
３１  窓孔
３ａ  凸曲面状外面
４  背面板
４１  第１の背面板
４１ａ  係合突片
４２  第２の背面板
４２ａ  係合スリット
４ａ  凸曲面状外面
５  上面板
５ａ  凹曲面状外面
５ｂ  折り込み片
６  下面板
６ａ  凹曲面状外面
６ｂ  折り込み片
７  インキカートリッジ
【図１】
2014040252.tif 000003
【図２】
2014040252.tif 000004
【図３】
2014040252.tif 000005
【図４】
2014040252.tif 000006
【図５】
2014040252.tif 000007
【図６】
2014040252.tif 000008
【図７】
2014040252.tif 000009
【図８】
2014040252.tif 000010
【図９】
2014040252.tif 000011
【図１０】
2014040252.tif 000012
【図１１】
2014040252.tif 000013
【図１２】
2014040252.tif 000014